(57)【要約】【課題】ロール状に巻かれた記録紙が落とし込み方式により設置されるプリンタ装置において、記録紙の巻が緩むことを抑制する。【解決手段】プリンタ本体と、前記プリンタ本体に開閉可能に取り付けられる蓋と、ロール状の記録紙が収容される記録紙ホルダと、を有し、前記記録紙ホルダには、収容される記録紙が接する底面が形成され、前記記録紙に突起が設けられることを特徴とするプリンタ装置を提供することにより上記課題を解決する。【選択図】  図６
2016049737.tif 000002
【特許請求の範囲】
【請求項１】
プリンタ本体と、
前記プリンタ本体に開閉可能に取り付けられる蓋と、
ロール状の記録紙が収容される記録紙ホルダと、
を有し、
前記記録紙ホルダには、収容される記録紙が接する底面が形成され、
前記記録紙に突起が設けられることを特徴とするプリンタ装置。
【請求項２】
前記記録紙ホルダには、前記底面に連続して形成される曲面が形成され、
前記突起は前記曲面と前記蓋との間に設けられていることを特徴とする請求項１に記載のプリンタ装置。
【請求項３】
前記曲面は、前記ロール状に巻かれた記録紙の外形の一部と相似形であることを特徴とする請求項２に記載のプリンタ装置。
【請求項４】
プリンタ本体と、
前記プリンタ本体に開閉可能な状態で取り付けられた蓋と、
を有し、
前記蓋には、記録ヘッドまたはプラテンローラのうちの一方が取り付けられており、
前記プリンタ本体には、前記記録ヘッドまたは前記プラテンローラのうちの他方が取り付けられており、
前記プリンタ本体には、前記蓋を閉じることにより、ロール状に巻かれた記録紙が収納される記録紙ホルダが設けられており、
記録紙ホルダの内側の底面には、複数の突起部が設けられていることを特徴とするプリンタ装置。
【請求項５】
前記複数の突起部のうちの一方の突起部は、他方の突起部よりも、前記蓋に近い側に形成されていることを特徴とする請求項４に記載のプリンタ装置。
【発明の詳細な説明】
【技術分野】
【０００１】
本発明は、プリンタ装置に関する。
【背景技術】
【０００２】
レシート等を発行するプリンタは、商店のレジスタ、銀行におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッドにより記録紙に印字を行ない、所定の長さまで記録紙を搬送した後、カッターで所定の長さで記録紙を切断するものである。
【０００３】
このようなプリンタ装置においては、例えば、プリンタ本体と、プリンタ本体に回動可能に支持された蓋が設けられており、蓋を開くことによりプリンタ本体にロール状に巻かれた記録紙を設置することができる。この場合、例えば、サーマルヘッド等はプリンタ本体に設置されており、プラテンローラは蓋に設置され、蓋を閉じることにより記録紙がサーマルヘッドとプラテンローラに間に挟まれる。このようにサーマルヘッドとプラテンローラに挟まれた状態で記録紙にサーマルヘッドによる印字がなされる。
【０００４】
記録紙としてロール状に巻かれたロール紙が用いられるプリンタ装置では、記録紙ホルダにロール状の記録紙が設置されている。ロール状の記録紙は、記録紙ホルダにおいて記録紙中心の開口部に軸を通して設置されることが一般的であるが、近年、記録紙の補充を容易にするため、記録紙の中心の開口部に軸を通すことなく、記録紙ホルダにそのまま設置する落とし込み方式のプリンタ装置が普及しつつある。
【先行技術文献】
【特許文献】
【０００５】
【特許文献１】特開２００９−９６５９５号公報
【発明の概要】
【発明が解決しようとする課題】
【０００６】
しかしながら、落とし込み方式のプリンタ装置においては、ロール状に巻かれた記録紙の自由度が高く、プリンタ装置を使用しているうちに、記録紙がロール状に巻かれている状態から巻が緩み広がることにより、記録紙の搬送に支障をきたす場合がある。
【０００７】
よって、ロール状に巻かれた記録紙を落とし込み方式により設置されるプリンタ装置において、記録紙の巻が緩むことを抑制することのできるプリンタ装置が求められている。
【課題を解決するための手段】
【０００８】
本実施の形態の一観点によれば、プリンタ本体と、前記プリンタ本体に開閉可能に取り付けられる蓋と、ロール状の記録紙が収容される記録紙ホルダと、を有し、前記記録紙ホルダには、収容される記録紙が接する底面が形成され、前記記録紙に突起が設けられることを特徴とする。
【発明の効果】
【０００９】
本発明によれば、ロール状に巻かれた記録紙が落とし込み方式により設置されるプリンタ装置において、記録紙の巻が緩むことを抑制することができる。
【図面の簡単な説明】
【００１０】
【図１】ロール状に巻かれた記録紙の巻が緩み広がった状態の説明図（１）
【図２】ロール状に巻かれた記録紙の巻が緩み広がった状態の説明図（２）
【図３】第１の実施の形態におけるプリンタ装置の蓋が開いている状態（記録紙あり）の斜視図
【図４】第１の実施の形態におけるプリンタ装置の蓋が閉じている状態の斜視図
【図５】第１の実施の形態におけるプリンタ装置の蓋が閉じている状態の断面図
【図６】第１の実施の形態におけるプリンタ装置の蓋が開いている状態（記録紙なし）の斜視図
【図７】第１の実施の形態におけるプリンタ装置に設置された記録紙の説明図（１）
【図８】第１の実施の形態におけるプリンタ装置に設置された記録紙の説明図（２）
【図９】第１の実施の形態におけるプリンタ装置に設置された記録紙の説明図（３）
【図１０】第１の実施の形態におけるプリンタ装置に設置された記録紙の説明図（４）
【図１１】第１の実施の形態におけるプリンタ装置に設置された記録紙の説明図（５）
【図１２】第２の実施の形態におけるプリンタ装置の説明図
【図１３】第２の実施の形態におけるプリンタ装置に設置された記録紙の説明図（１）
【図１４】第２の実施の形態におけるプリンタ装置に設置された記録紙の説明図（２）
【図１５】第２の実施の形態におけるプリンタ装置に設置された記録紙の説明図（３）
【発明を実施するための形態】
【００１１】
本発明を実施するための形態について、以下に説明する。尚、同じ部材等については、同一の符号を付して説明を省略する。
【００１２】
〔第１の実施の形態〕
最初に、ロール状に巻かれた記録紙が、ロール状に巻かれている状態から巻が緩み広がることについて説明する。図１に示すように、記録紙９１０は、最初は記録紙が密に巻かれているが、落とし込み方式のプリンタ装置で使用しているうちに自然と記録紙９１０の巻が緩み、巻かれている記録紙と記録紙との間が広がり、記録紙と記録紙との間に空間が生じる場合がある。
【００１３】
従って、図２に示すように、ロール状の記録紙９１０が設置されている記録紙ホルダ９２０内において、記録紙９１０の巻が緩み広がると、記録紙ホルダ９２０内全体に緩んだ記録紙が広がってしまい、記録紙の搬送負荷が増加し、記録紙の搬送をすることが難しくなる。
【００１４】
ところで、ロール状に巻かれた記録紙９１０が、使用しているうちに巻が緩み広がる現象は、記録紙を設置する軸を有するプリンタ装置においても生じるが、落とし込み方式のプリンタ装置において特に顕著に生じる。これは、落とし込み方式のプリンタ装置の場合、記録紙ホルダ９２０内に設置されている記録紙９１０の自由度が高いため、記録紙９１０が記録紙ホルダ９２０内を自由に移動することができることに起因しているものと推察される。即ち、落とし込み方式のプリンタ装置の場合、記録紙９１０は、記録紙ホルダ９２０の内側の底面を転がったり、振動により上下に動くことができるため、記録紙９１０を使用しているうちに記録紙９１０の巻が自然と緩み広がってしまう。記録紙９１０の巻が緩み記録紙ホルダ９２０内の全体に広がってしまうと、記録紙９１０は記録紙ホルダ９２０内で回転することができなくなるため、記録紙の搬送に支障をきたしてしまう。
【００１５】
（プリンタ装置）
第１の実施の形態におけるプリンタ装置について、図３から図６に基づき説明する。尚、図３は、蓋が開いている状態の本実施の形態のプリンタ装置の斜視図であり、図４は、蓋が閉じている状態の斜視図であり、図５は、蓋が閉じている状態の断面図である。また、図６は、蓋が開いており、記録紙が収納されていない状態の本実施の形態におけるプリンタ装置の斜視図である。
【００１６】
本実施の形態におけるプリンタ装置１は、プリンタ本体１０と、プリンタ本体１０に取り付けられている蓋２０とを有している。蓋２０は、不図示の軸を中心に回動可能かつ開閉可能な状態でプリンタ本体１０に取り付けられている。プリンタ本体１０には、プリンタ本体１０の内部にロール状に巻かれた記録紙１００を収容する記録紙ホルダ１１が設けられている。尚、本実施の形態におけるプリンタ装置１に用いられる記録紙１００は感熱紙である。
【００１７】
プリンタ本体１０には、回路基板１２、モータ１３、１４、記録紙１００に印字を行なう記録ヘッドであるサーマルヘッド３０、固定刃４１が設けられている。回路基板１２は、プリンタ装置１の制御を行なうためのものである。モータ１３、１４はそれぞれ、記録紙１００を搬送するため、また、カッターにおける可動刃を駆動して記録紙を切断するためのものである。
【００１８】
蓋２０には、蓋２０を開くためのオープンレバー２１、可動刃４２、プラテンローラ５０が設けられている。オープンレバー２１は、蓋２０の表面に設けられた溝部２２を上下方向に移動できるように設置されている。
【００１９】
本実施の形態においては、プリンタ本体１０に設けられた固定刃４１と蓋２０に設けられた可動刃４２とにより記録紙１００を切断するためのカッターが形成されており、可動刃４２が固定刃４１の設けられている側に移動することにより、固定刃４１と可動刃４２との間の記録紙１００を切断することができる。
【００２０】
また、プリンタ本体１０には、プラテンローラ５０を取り外すためのロックレバー１５が設けられており、ロックレバー１５を下方向に押すことにより、サーマルヘッド３０からプラテンローラ５０が離れ、プラテンローラ５０を取り外すことができる。
【００２１】
即ち、プリンタ装置１では、蓋２０に設けられたオープンレバー２１を下方向にスライドさせることにより、ロックレバー１５を下方向に押して、プラテンローラ５０を取り外すとともに蓋２０を開くことができる。
【００２２】
ロックレバー１５を操作することにより、プラテンローラ５０を取り外す際には、プリンタメカ部に設けられた不図示のバネにより、プラテンローラ５０が飛び出すように形成されている。よって、本実施の形態においては、不図示のバネによりプラテンローラ５０が飛び出す方向に働く力が、蓋２０を開く力の一部として加わっている。
【００２３】
尚、プリンタ装置１に記録紙１００を設置する場合には、記録紙ホルダ１１の内部にロール状に巻かれた記録紙１００を設置して、蓋２０を閉じる。これにより、プリンタ装置１に記録紙１００がセットされる。尚、プリンタ装置１にはプリンタ本体１０にプラテンローラ５０が設けられており、蓋２０にサーマルヘッド３０が設けられているものであってもよい。蓋２０は、例えば、プリンタ本体１０に設置されている記録紙１００がなくなった場合や、記録紙１００を交換する場合に開かれる。
【００２４】
図５及び図６に示されるように、プリンタ装置１においては、記録紙ホルダ１１の内側が、略平らな底面１１ａと、底面１１ａと連続する、初期状態の未使用の記録紙１００の形状に対応した形状の曲面１１ｂとを有するように形成されている。
【００２５】
本実施の形態においては、記録紙ホルダ１１の内側に突起部１１０が設けられている。
【００２６】
突起部１１０は、記録紙ホルダ１１の底面１１ａ、即ち、記録紙ホルダ１１に記録紙１００を設置した際に、記録紙１００が接する面に設けられている。突起部１１０は、記録紙１００の径が最も大きい状態、即ち、新たな記録紙１００を入れた最初の状態で記録紙１００と接触しない位置に、記録紙１００の底面１１ａに接する部分と蓋２０との間に設けられている。突起部１１０は、記録紙ホルダ１１の蓋２０から突起部１１０までの長さが、少なくとも記録紙１００の最初の状態における半径よりも短くなる位置に設けられている。
【００２７】
突起部１１０は一つであってもよく、複数設けられていてもよい。複数の突起部１１０が設けられている場合には、複数の突起部１１０の配列方向が、記録紙１００の軸方向と平行となるように形成されていてもよい。尚、図６においては、３つの突起部１１０が記録紙１００の軸方向と平行となるように形成されている状態を示している。また、突起部１１０が一つ設けられている場合には、図６に示される３つの突起部１１０のうちのいずれか一つが形成されているものであってもよい。
【００２８】
また、記録紙ホルダ１１の内側の曲面１１ｂは、記録紙１００の最初の状態に対応した形状に形成されている。
【００２９】
（記録紙の使用）
次に、本実施の形態におけるプリンタ装置１において、記録紙ホルダ１１内に設置されている記録紙１００が使用される場合について説明する。尚、図７から図１１においては、蓋２０の内側を一点鎖線ｓ１で示し、記録紙ホルダ１１の内側の最も深い部分に沿った線を一点鎖線ｓ２により示す。一点鎖線ｓ１と一点鎖線ｓ２との距離Ｌは、ロール状に巻かれた記録紙１００の初期状態における直径と略同じまたはそれよりも広くなるように形成されている。また、記録紙ホルダ１１内の底は、一点鎖線ｓ１の側より、一点鎖線ｓ１と一点鎖線ｓ２との中間までは、略平らな底面１１ａにより形成されており、一点鎖線ｓ１と一点鎖線ｓ２との中間から一点鎖線ｓ２の側までは曲面１１ｂにより形成されていてもよい。即ち、一点鎖線ｓ１の側より、一点鎖線ｓ１と一点鎖線ｓ２との中間となるＬ／２までは、略平らな底面１１ａにより形成されていてもよい。突起部１１０は、底面１１ａの中間に形成されており、具体的には、底面１１ａにおいて、一点鎖線ｓ１の側から距離Ｌ１離れた位置に形成されている。
【００３０】
最初に、図７に示すように、記録紙ホルダ１１内に、新たな記録紙１００を設置する。曲面１１ｂの曲率半径は、図７の状態における記録紙１００の曲率半径よりも若干大きい値となるように形成されている。この状態において、記録紙１００は記録紙ホルダ１１内で回転しながら供給されるが、記録紙１００の形状が記録紙ホルダ１１の形状に近いため、記録紙１００が記録紙ホルダ１１内において回転により移動等することは殆どない。
【００３１】
記録紙１００に印字して記録紙１００が使用されると、図８に示すように記録紙１００の径が図７の状態から少し小さくなる。図８の状態においては、記録紙１００は、記録紙ホルダ１１内の底面１１ａまたは曲面１１ｂの一部と接している。従って、記録紙ホルダ１１内の大きさに対し、記録紙１００の径が小さいため、記録紙１００は記録紙ホルダ１１内を回転して移動してしまう可能性がある。しかしながら、記録紙ホルダ１１には突起部１１０と曲面１１ｂとが形成されているため、記録紙１００は、記録紙ホルダ１１内の突起部１１０と曲面１１ｂとの間で回転による移動等が制限される。従って、図８の状態においては、記録紙１００は、記録紙ホルダ１１内において回転により移動等することが抑制される。
【００３２】
更に記録紙１００に印字して記録紙１００が使用されると、図９に示すように記録紙１００の径が図８の状態よりも更に小さくなる。図９の状態においても、記録紙１００は、記録紙ホルダ１１内の底面１１ａまたは曲面１１ｂの一部と接している。この状態においても、記録紙ホルダ１１内の大きさに対し記録紙１００の径の大きさが小さいため、記録紙１００は、記録紙ホルダ１１内を回転して移動することが可能であるが、突起部１１０と曲面１１ｂが形成されているため、記録紙１００は、突起部１１０と曲面１１ｂとの間において回転による移動等が制限される。従って、図９の状態においても、記録紙１００は、記録紙ホルダ１１内において回転により移動等することが抑制される。
【００３３】
更に記録紙１００に印字して記録紙１００が使用されると、図１０に示すように記録紙１００の径が図９の状態よりも更に小さくなる。図１０の状態においては、記録紙１００の半径と距離Ｌ１とが略等しくなるため、図１０に示すように、記録紙１００は、突起部１１０の上に乗り上げた状態になる場合がある。
【００３４】
更に記録紙１００に印字をして記録紙１００が使用されると、図１１に示すように、記録紙１００の径が更に小さくなる。図１１の状態においては、記録紙ホルダ１１内の大きさに対して記録紙１００の径が最初の状態から比べて大幅に小さくなるため、記録紙１００は、記録紙ホルダ１１内を回転等して移動することが可能である。しかしながら、蓋２０に設けられているプラテンローラ５０により記録紙が図１１の矢印に示す方向に引かれるため、記録紙１００は、突起部１１０よりも蓋２０が設けられている側に移動する。即ち、記録紙１００は、蓋２０が設けられている側となる一点鎖線ｓ１の側に引かれることにより、記録紙１００は、突起部１１０よりも蓋２０が設けられている側に移動する。この際、記録紙１００は、蓋２０の内側に接してもよい。言い換えるならば、記録紙１００は、一点鎖線ｓ１に接してもよい。従って、図１１の状態においては、記録紙１００は、突起部１１０と蓋２０との間に位置し、突起部１１０と蓋２０とにより回転による移動等が制限される。従って、図１１の状態においても、記録紙１００が、記録紙ホルダ１１内において回転により移動等することが抑制される。
【００３５】
以上のように、本実施の形態におけるプリンタ装置１では、記録紙ホルダ１１の底面１１ａに突起部１１０を設けることにより、記録紙１００の径が小さくなっても、記録紙ホルダ１１の内部において回転により移動等することを抑制することができる。尚、本実施の形態は、記録紙ホルダ１１の内側に曲面１１ｂが形成されているが、曲面１１ｂの形状は、ロール状に巻かれた記録紙１００の外形の一部と相似形で有ることが好ましい。
【００３６】
〔第２の実施の形態〕
次に、第２の実施の形態について説明する。本実施の形態は、図１２に示されるように、記録紙ホルダ２０１内の底面２０１ａに複数の突起部、即ち、第１の突起部２１１、第２の突起部２１２が設けられている構造のものである。このように第１の突起部２１１、第２の突起部２１２の複数の突起が設けられていても、ロール状の記録紙１００が記録紙ホルダ２０１内において回転により移動等することを抑制することができる。尚、本実施の形態においては、第１の突起部２１１は第２の突起部２１２よりも、蓋２０側に近い側に設けられている。また、記録紙１００が納められる記録紙ホルダ２０１の内部は、底面２０１ａと、蓋２０の内側により形成されている蓋側壁面２０１ｂと、蓋側壁面２０１ｂに対向する記録紙ホルダ２０１内の奥の記録紙ホルダ壁面２０１ｃとにより囲まれている。蓋側壁面２０１ｂと記録紙ホルダ壁面２０１ｃとの間隔は、ロール状に巻かれた記録紙１００の初期状態における直径と略同じまたはそれよりも広く形成されている。また、図１２に示されるように、記録紙ホルダ２０１内の底面２０１ａは、すべて平面であり、曲面になっていなくてもよい。
【００３７】
（記録紙の使用）
次に、本実施の形態におけるプリンタ装置において、記録紙ホルダ２０１内に設置されている記録紙１００が使用される場合について説明する。
【００３８】
最初に、図１３に示すように、記録紙ホルダ２０１内に、記録紙１００が設置される。プリンタ装置により印字がなされる際には、記録紙１００は回転しながら図１３の矢印方向に供給されるが、記録紙ホルダ２０１の底面２０１ａには、２つの突起部、即ち、第１の突起部２１１、第２の突起部２１２が設けられているため、記録紙１００は、第１の突起部２１１と第２の突起部２１２との間において回転による移動等が制限される。従って、図１３の状態においては、巻かれた記録紙１００は、記録紙ホルダ２０１内において回転により移動等することが抑制される。
【００３９】
更に、記録紙１００が使用されると、図１４に示すように、記録紙１００の径が小さくなる。図１４の状態においても、記録紙１００は第１の突起部２１１と第２の突起部２１２との間において回転による移動等が制限される。従って、図１４の状態においても、記録紙１００は、記録紙ホルダ２０１内において回転により移動等することが抑制される。
【００４０】
更に記録紙１００が使用されると、図１５に示すように、記録紙１００の径が図１４の状態から更に小さくなる。図１５の状態においては、記録紙１００は、蓋２０に近い側の第１の突起部２１１と蓋側壁面２０１ｂとに接触しており、蓋２０の内側の蓋側壁面２０１ｂと第１の突起部２１１との間において回転による移動等が制限されている。従って、図１５の状態においても、記録紙１００は、記録紙ホルダ２０１内において回転により移動等することが抑制される。
【００４１】
以上のように、本実施の形態におけるプリンタ装置においては、記録紙ホルダ２０１の内側の底面２０１ａに２つ突起部、即ち、第１の突起部２１１、第２の突起部２１２を設けることにより、ロール状に巻かれた記録紙１００が使用され径が小さくなっても、記録紙ホルダ２０１の内部において回転により移動等することを抑制することができる。
【００４２】
尚、上記以外の内容については、第１の実施の形態と同様である。
【００４３】
以上、本発明の実施に係る形態について説明したが、上記内容は、発明の内容を限定するものではない。
【符号の説明】
【００４４】
１０        プリンタ本体
１１        記録紙ホルダ
１１ａ      底面
１１ｂ      曲面
１２        回路基板
１３        モータ
１４        モータ
１５        ロックレバー
２０        蓋
２１        オープンレバー
３０        サーマルヘッド
４１        固定刃
４２        可動刃
５０        プラテンローラ
１００      記録紙（ロール状に巻かれた記録紙）
１１０      突起部
【図３】
2016049737.tif 000003
【図４】
2016049737.tif 000004
【図５】
2016049737.tif 000005
【図６】
2016049737.tif 000006
【図７】
2016049737.tif 000007
【図８】
2016049737.tif 000008
【図９】
2016049737.tif 000009
【図１０】
2016049737.tif 000010
【図１１】
2016049737.tif 000011
【図１２】
2016049737.tif 000012
【図１３】
2016049737.tif 000013
【図１４】
2016049737.tif 000014
【図１５】
2016049737.tif 000015
【図１】
2016049737.tif 000016
【図２】
2016049737.tif 000017